(57)【要約】【課題】本発明の課題は、複雑な交戦状況下において隊員が目視にて瞬時に味方部隊を識別することができ、味方部隊に対する誤射を未然に防止するためのレーザ味方識別システムを提供することにある。【解決手段】本発明は、銃１２に装着され、レーザパルス列によるコード情報を含むＩＦＦレーザビームが発射されるＩＦＦレーザ送信装置１３と、ＩＦＦレーザ送信装置１３からのＩＦＦレーザビームが受光され、レーザパルス列によるコード情報を解読して発光器を所定時間発光する味方識別器１８とを具備することを特徴とする。【選択図】図１
2010185767.tif 000002
【特許請求の範囲】
【請求項１】
銃に装着され、レーザパルス列によるコード情報を含むＩＦＦレーザビームが発射されるＩＦＦレーザ送信装置と、
前記ＩＦＦレーザ送信装置からのＩＦＦレーザビームが受光され、レーザパルス列によるコード情報を解読して発光器を所定時間発光する味方識別器と
を具備することを特徴とするレーザ味方識別システム。
【請求項２】
ＩＦＦレーザ送信装置として、
外部設定器からＩＦＦコードが受信され、パルス列の電気信号を制御回路に出力する受信回路と、
レーザコードのモード制御信号を制御回路に出力するモードスイッチと、
レーザ照射のオン／オフを制御する信号を制御回路に出力するリモートスイッチと、
前記受信回路からのパルス列の電気信号及び前記モードスイッチからのモード制御信号及び前記リモートスイッチからのオン／オフ制御信号が入力され、ＩＦＦコードを含むレーザパルス列をレーザ駆動回路に出力する制御回路と、
前記制御回路からのレーザパルス列が入力され、レーザ駆動信号を生成して光学系に出力するレーザ駆動回路と、
前記レーザ駆動回路からレーザ駆動信号が入力され、所定の広がりを有するＩＦＦレーザビームが射出される光学系と
を具備するＩＦＦレーザ送信装置を用いることを特徴とする請求項１に記載のレーザ味方識別システム。
【請求項３】
味方識別器として、
ＩＦＦレーザ送信装置からのＩＦＦレーザビームが受光されパルスコード列の電気信号に変換して制御回路に出力する受光器と、
発光器の点灯モードを設定する点灯モード設定信号を制御回路に出力するモードスイッチと、
前記モードスイッチからの点灯モード設定信号が入力されて点灯モードに関する各種設定が行われると共に、前記受光器からのパルスコード列の電気信号が入力され、前記パルスコード列が予め登録されたＩＦＦコードと一致したとき発光器の点灯制御信号を出力する制御回路と、
前記制御回路からの点灯制御信号が入力されて点灯動作する可視または非可視のＬＥＤよりなる発光器と
を具備する味方識別器を用いることを特徴とする請求項１又は２に記載のレーザ味方識別システム。
【発明の詳細な説明】
【技術分野】
【０００１】
本発明は、隊員が行う小火器類（拳銃、小銃、機関銃、重機関銃）の射撃において、味方隊員に装着する味方識別器に対してＩＦＦ（味方識別）レーザビームを照射することにより瞬時に味方を判別するためのレーザ味方識別システムに関する。
【背景技術】
【０００２】
従来、小火器類による交戦を行う場合は、味方部隊と敵部隊を識別する技術的な手段がなく、無線系による自隊の位置確認が一般的であった。野戦と異なり、市街地戦闘のように隊員の配置が時間とともに刻々と変化する場合、味方の位置を把握することがより困難であり、交戦状態において味方部隊を瞬時に識別することが極めて困難であるがために、味方隊員を誤って攻撃する危険性があった。
【先行技術文献】
【特許文献】
【０００３】
【特許文献１】特開平１０−１４８６７２号公報
【発明の概要】
【発明が解決しようとする課題】
【０００４】
本発明は上記の事情に鑑みてなされたもので、小火器類に装着したＩＦＦレーザ送信装置から発射されるＩＦＦレーザビームを味方識別器に照射し、味方識別器が所定の時間味方であることを現示するＬＥＤ発光を行うことにより、複雑な交戦状況下において隊員が目視にて瞬時に味方部隊を識別することができ、味方部隊に対する誤射を未然に防止するためのレーザ味方識別システムを提供することを目的とする。
【課題を解決するための手段】
【０００５】
上記目的を達成するために本発明のレーザ味方識別システムは、銃に装着され、レーザパルス列によるコード情報を含むＩＦＦレーザビームが発射されるＩＦＦレーザ送信装置と、前記ＩＦＦレーザ送信装置からのＩＦＦレーザビームが受光され、レーザパルス列によるコード情報を解読して発光器を所定時間発光する味方識別器とを具備することを特徴とするものである。
【０００６】
また本発明は、前記レーザ味方識別システムにおいて、ＩＦＦレーザ送信装置として、外部設定器からＩＦＦコードが受信され、パルス列の電気信号を制御回路に出力する受信回路と、レーザコードのモード制御信号を制御回路に出力するモードスイッチと、レーザ照射のオン／オフを制御する信号を制御回路に出力するリモートスイッチと、前記受信回路からのパルス列の電気信号及び前記モードスイッチからのモード制御信号及び前記リモートスイッチからのオン／オフ制御信号が入力され、ＩＦＦコードを含むレーザパルス列をレーザ駆動回路に出力する制御回路と、前記制御回路からのレーザパルス列が入力され、レーザ駆動信号を生成して光学系に出力するレーザ駆動回路と、前記レーザ駆動回路からレーザ駆動信号が入力され、所定の広がりを有するＩＦＦレーザビームが射出される光学系とを具備するＩＦＦレーザ送信装置を用いることを特徴とするものである。
【０００７】
また本発明は、前記レーザ味方識別システムにおいて、味方識別器として、ＩＦＦレーザ送信装置からのＩＦＦレーザビームが受光されパルスコード列の電気信号に変換して制御回路に出力する受光器と、発光器の点灯モードを設定する点灯モード設定信号を制御回路に出力するモードスイッチと、前記モードスイッチからの点灯モード設定信号が入力されて点灯モードに関する各種設定が行われると共に、前記受光器からのパルスコード列の電気信号が入力され、前記パルスコード列が予め登録されたＩＦＦコードと一致したとき発光器の点灯制御信号を出力する制御回路と、前記制御回路からの点灯制御信号が入力されて点灯動作する可視または非可視のＬＥＤよりなる発光器とを具備する味方識別器を用いることを特徴とするものである。
【発明の効果】
【０００８】
本発明のレーザ味方識別システムは、昼夜を問わずレーザ照射により味方識別を行うことができるだけでなく、味方識別器の点灯制御をリモート操作により行うことが可能となるため、各隊員の点灯モードの操作の負担を減らすことが可能となる。
【０００９】
また、類似の製品にあるように、単純な点灯機能（点滅または点灯）では、常時、識別器が発光することにより、敵からの発見が容易であったが、本発明によれば、レーザビームが照射されたタイミングにより所定時間のみ点灯させることが可能となるため、敵からの発見を最小限に留める効果が期待できる。
【図面の簡単な説明】
【００１０】
【図１】本発明の実施形態に係るレーザ味方識別システムを示す系統図である。
【図２】本発明の実施形態に係るＩＦＦレーザ送信装置から射出されるＩＦＦレーザビームのレーザコード列を示す説明図である。
【図３】本発明の実施形態に係る味方識別器を示す構成説明図である。
【図４】本発明の実施形態に係るＩＦＦレーザ送信装置を示す構成説明図である。
【発明を実施するための形態】
【００１１】
以下、本発明の実施の形態について、詳細に説明する。
【００１２】
図１はレーザ味方識別システムであり、１１は隊員Ａ、１２は実銃または模擬銃、１３はＩＦＦレーザ送信装置、１４は隊員Ｂ、１５はヘルメット部、１６は胴体部、１７は腕部、１８，１９，２０は味方識別器である。
【００１３】
図１に示すように、１１の隊員Ａが所持する実銃または模擬銃１２にはＩＦＦレーザ送信装置１３が装着されている。一方、１４の隊員Ｂのヘルメット部１５、胴体部１６及び腕部１７にはそれぞれ対応して味方識別器１８，１９，２０が装着されている。尚、味方識別器は各隊員のヘルメット部、胴体部、または腕部の任意の箇所に必要数装着される。
【００１４】
すなわち、１１の隊員Ａが所持する実銃または模擬銃１２に装着されたＩＦＦレーザ送信装置１３から、識別対象となる目標人員（１４の隊員Ｂ）に対してレーザパルス列によるコード情報を含むＩＦＦレーザビームが発射される。ＩＦＦレーザビームは、味方識別器１８，１９，または２０の受光部分に確実に照射される様、一定のビームの広がりを有する。
【００１５】
１４の隊員Ｂの味方識別器１８，１９，または２０は味方部隊の１１の隊員Ａから照射されるＩＦＦレーザビームを受光すると、味方識別器１８，１９，または２０にてレーザパルス列によるコード情報を解読し、瞬時に可視又は非可視のＬＥＤよりなる発光器を所定時間発光する。これにより、ＩＦＦレーザ送信装置１３からＩＦＦレーザビームを照射した１１の隊員Ａは味方か否かを判別する。
【００１６】
図３は味方識別器１８，１９，または２０であり、３１は受光器、３２は制御回路、３３はモードスイッチ、３４は発光器、３５はバッテリーである。
【００１７】
図３に示すように、受光器３１には予め外部設定器により味方を意味する識別コードであるＩＦＦコードの光信号が入力され、受光器３１はＩＦＦコードの光信号をパルス列の電気信号に変換して制御回路３２に出力し、制御回路３２において、入力されたパルス列の電気信号を解読したＩＦＦコード情報を内部の記憶回路に保存する。
【００１８】
また、受光器３１はＩＦＦレーザ送信装置１３からのＩＦＦレーザビームが受光されパルスコード列の電気信号に変換して制御回路３２に出力する。
【００１９】
モードスイッチ３３は発光器３４の点灯モードを設定する点灯モード設定信号を制御回路３２に出力し、制御回路３２に対して点灯モードに関する各種設定（局操、リモートの切換の他、局操の場合、可視、暗視点灯の切換、点灯、点滅の切換等）を行う。
【００２０】
制御回路３２には受光器３１からのパルスコード列の電気信号が入力され、前記パルスコード列が予め登録されたＩＦＦコードと比較され、情報が一致したとき発光器３４に点灯制御信号を出力する。
【００２１】
発光器３４は可視または非可視のＬＥＤより構成され、制御回路３２からの点灯制御信号が入力されると点灯モードにより点灯動作する。バッテリー３５は、味方識別器１８，１９，または２０に必要な電源を供給する。
【００２２】
図４はＩＦＦレーザ送信装置１３であり、４１は受信回路、４２は制御回路、４３はモードスイッチ、４４はリモートスイッチ、４５はレーザ駆動回路、４６は光学系、４７はバッテリーである。
【００２３】
図４に示すように、外部設定器により、味方を意味する識別コードであるＩＦＦコードが無線又は光により受信回路４１に対して入力される。受信回路４１は、光信号を電気信号に変換し、パルス列の電気信号として制御回路４２に出力する。制御回路４２において、入力されたパルス列の電気信号を解読し、ＩＦＦコード情報を内部の記憶回路に保存する。
【００２４】
モードスイッチ４３は、レーザコードを制御するために設けられたものであり、味方識別器１８，１９，または２０の点灯モードを制御するための各種モード（可視、非可視点灯の切換、点灯、点滅の切換等）を選択できるレーザコードのモード制御信号を制御回路４２に出力する。
【００２５】
リモートスイッチ４４は１１の隊員Ａが操作することにより、制御回路４２にレーザ照射のオン／オフを制御する信号が入力され、オンになった時点で、制御回路４２はＩＦＦコードを含むレーザパルス列をレーザ駆動回路４５に出力する。
【００２６】
レーザ駆動回路４５は、制御回路４２から入力されるＩＦＦコードを含むレーザパルス列をレーザ駆動信号に変換し、光学系４６に出力する。光学系４６は、レーザ駆動回路４５からのレーザ駆動信号をもとに所定のビーム広がりを有するＩＦＦレーザビームを形成し、外部に放射する。バッテリー４７は、ＩＦＦレーザ送信装置１３に必要な電源を供給する。
【００２７】
図２はＩＦＦレーザ送信装置１３から出力されるＩＦＦレーザビームのレーザパルス列を示す説明図である。
【００２８】
同期コードは、Ｍビットで構成され味方識別器１８，１９，または２０がレーザパルスを受信する際の同期信号に利用する。
【００２９】
制御コードは、Ｎビットで構成され味方識別器１８，１９，または２０の点灯制御に使用するものであり、可視、非可視の切換の他、点灯、点滅の切換等を設定する。
【００３０】
ＩＦＦコードは、Ｌビットで構成され味方識別コードを設定する。
【００３１】
同期コードからＩＦＦコードまでのコード列については、ＩＦＦレーザ送信装置１３のリモートスイッチ４４が押下（レーザ照射オン）されている間、繰り返し送信される。
【００３２】
なお、本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【符号の説明】
【００３３】
１１…隊員Ａ、１２…実銃または模擬銃、１３…ＩＦＦレーザ送信装置、１４…隊員Ｂ、１５…ヘルメット部、１６…胴体部、１７…腕部、１８，１９，２０…味方識別器、３１…受光器、３２…制御回路、３３…モードスイッチ、３４…発光器、３５…バッテリー、４１…受信回路、４２…制御回路、４３…モードスイッチ、４４…リモートスイッチ、４５…レーザ駆動回路、４６…光学系、４７…バッテリー。
【図１】
2010185767.tif 000003
【図２】
2010185767.tif 000004
【図３】
2010185767.tif 000005
【図４】
2010185767.tif 000006